(57)【要約】【課題】難燃性が良好である端子台装置を提供する。【解決手段】端子台装置１は端子台本体２を備え、この端子台本体２には端子金具３を取り付ける。また、端子台装置１は端子金具３に電線を接続固定するためのボルト４及びナット５と、このナット５を保持するナットホルダー６とを備える。そして、端子台本体２及びナットホルダー６は、厚さ１ｍｍ以下の条件でその材料の燃焼性がＪＩＳＣ６０６９５−１１−２０で規定する燃焼性分類５ＶＡ以上であるＰＥＴ樹脂材料によって形成する。【選択図】図１
2019185892.tif 000002
【特許請求の範囲】
【請求項１】
厚さ１ｍｍ以下の条件でその材料の燃焼性がＪＩＳＣ６０６９５−１１−２０で規定する燃焼性分類５ＶＡ以上であるＰＥＴ樹脂材料からなる少なくとも１つの絶縁性部材を備える
ことを特徴とする端子台装置。
【請求項２】
端子台本体と、
この端子台本体に取り付けられた端子金具と、
この端子金具に電線を接続固定するためのボルト及びナットと、
このナットを保持するナットホルダーとを備え、
少なくとも前記端子台本体及び前記ナットホルダーは、
厚さ１ｍｍ以下の条件でその材料の燃焼性がＪＩＳＣ６０６９５−１１−２０で規定する燃焼性分類５ＶＡ以上であるＰＥＴ樹脂材料によって形成されている
ことを特徴とする端子台装置。
【請求項３】
端子台本体に対して脱着可能なカバーを備え、
前記カバーが前記端子台本体に取り付けられることによって、ＩＥＣ６０５２９による保護等級ＩＰ２０に相当する保護性能を有する
ことを特徴とする請求項１又は２記載の端子台装置。
【請求項４】
電気定格が６００Ｖ、１７５Ａである
ことを特徴とする請求項１ないし３のいずれか一記載の端子台装置。
【発明の詳細な説明】
【技術分野】
【０００１】
本発明は、難燃性が良好な端子台装置に関するものである。
【背景技術】
【０００２】
従来、例えば下記の特許文献１に記載された端子台装置が知られている。
【０００３】
この従来の端子台装置は、端子台本体と、この端子台本体に取り付けられ挟持板部及びこの挟持板部に形成された挿通用孔部を有する端子金具と、ねじ孔部を有するナット体と、前記挿通用孔部に挿通されかつ前記ねじ孔部に螺合されたねじ軸部及び前記挟持板部との間で電線を挟持する頭部を有するねじとを備えている。
【先行技術文献】
【特許文献】
【０００４】
【特許文献１】特開２００８−２２６６３３号公報
【発明の概要】
【発明が解決しようとする課題】
【０００５】
そして、上記従来の端子台装置では、絶縁性を有する合成樹脂製の端子台本体は、例えばＰＢＴ（ポリブチレンテレフタレート）樹脂材料で形成されているが、近年では、より一層の難燃性の向上が求められている。
【０００６】
本発明は、このような点に鑑みなされたもので、難燃性が良好な端子台装置を提供することを目的とする。
【課題を解決するための手段】
【０００７】
請求項１記載の端子台装置は、厚さ１ｍｍ以下の条件でその材料の燃焼性がＪＩＳＣ６０６９５−１１−２０で規定する燃焼性分類５ＶＡ以上であるＰＥＴ樹脂材料からなる少なくとも１つの絶縁性部材を備えるものである。
【０００８】
請求項２記載の端子台装置は、端子台本体と、この端子台本体に取り付けられた端子金具と、この端子金具に電線を固定するためのボルト及びナットと、このナットを保持するナットホルダーとを備え、少なくとも前記端子台本体及び前記ナットホルダーは、厚さ１ｍｍ以下の条件でその材料の燃焼性がＪＩＳＣ６０６９５−１１−２０で規定する燃焼性分類５ＶＡ以上であるＰＥＴ樹脂材料によって形成されているものである。
【０００９】
請求項３記載の端子台装置は、請求項１又は２記載の端子台装置において、端子台本体に対して脱着可能なカバーを備え、前記カバーが前記端子台本体に取り付けられることによって、ＩＥＣ６０５２９による保護等級ＩＰ２０に相当する保護性能を有するものである。
【００１０】
請求項４記載の端子台装置は、請求項１ないし３のいずれか一記載の端子台装置において、電気定格が６００Ｖ、１７５Ａであるものである。
【発明の効果】
【００１１】
本発明によれば、厚さ１ｍｍ以下の条件でその材料の燃焼性がＪＩＳＣ６０６９５−１１−２０で規定する燃焼性分類５ＶＡ以上であるＰＥＴ樹脂材料からなる少なくとも１つの絶縁性部材を備えるため、難燃性が良好である。
【図面の簡単な説明】
【００１２】
【図１】本発明の一実施の形態に係る端子台装置の分解斜視図である。
【図２】（ａ）及び（ｂ）は同上端子台装置の斜視図である。
【図３】同上端子台装置の正面図である。
【図４】図３におけるＡ−Ａ断面図である。
【図５】（ａ）及び（ｂ）は端子台本体の斜視図である。
【図６】（ａ）及び（ｂ）はナットホルダーの斜視図である。
【発明を実施するための形態】
【００１３】
本発明の一実施の形態について図１ないし図６を参照して説明する。
【００１４】
図中の１は端子台装置で、この端子台装置１は、複数本、すなわち例えば２本の電線（図示せず）が接続されるもので、その電気定格は６００Ｖ、１７５Ａである。
【００１５】
端子台装置１は、端子台本体（ボディ）２と、この端子台本体２に取り付けられた端子金具３と、この端子金具３に電線を接続固定するためのボルト４及びナット５と、このナット５を保持するナットホルダー６とを備えている。
【００１６】
また、端子台装置１は、端子台本体２に対して脱着可能なカバー８を備え、このカバー８が端子台本体２に取り付けられることによって、ＩＥＣ（International Electrotechnical Commission）の定めるＩＥＣ６０５２９による保護等級ＩＰ２０に相当する保護性能を有するものである。なお、当該保護性能が不要な場合には、カバー８を端子台本体２に取り付ける必要がない。
【００１７】
そして、端子台本体２及びナットホルダー６は、いずれも絶縁性を有する合成樹脂製のもの（例えば厚さが１ｍｍ以上で５ｍｍ以下の絶縁性部材）で、例えば厚さ１ｍｍ以下の条件でその材料の燃焼性がＪＩＳＣ６０６９５−１１−２０で規定する燃焼性分類５ＶＡ以上であるＰＥＴ（ポリエチレンテレフタレート）樹脂材料によって形成されている。
【００１８】
なお、ＪＩＳ（Japanese Industrial Standards）の定めるＪＩＳＣ６０６９５−１１−２０（：２００６）は、「耐火性試験−電気・電子−第１１−２０部：試験炎−５００Ｗ試験炎による燃焼試験方法」であり、５ＶＡの判定基準は「８．４」に記載されている。
【００１９】
カバー８は、絶縁性を有する合成樹脂製のもので、例えばＰＣ（ポリカーボネート）樹脂材料によって形成されている。一方、端子金具３、ボルト（六角ボルト）４、ナット（六角ナット）５、ばね座金９及び平座金10は、いずれも導電性を有する金属製のものである。
【００２０】
端子台本体２は、図５（ａ）及び（ｂ）にも示すように、複数、すなわち例えば２つの取付孔11が形成された本体部12を有している。本体部12の中央側及び両端側には立設板部13が立設され、中央側の立設板部13にはカバー受け部分15が形成され、両端側の立設板部13にはカバー取付孔16が形成されている。
【００２１】
端子金具３は、ボルト挿通孔21が形成された挟持板部22と、この挟持板部22の両端側に下方に向かって突設され互いに離間対向する対向板部23とを有し、この各対向板部23の内面には係合凸部24が設けられている。
【００２２】
両対向板部23のうちの一方（前方側）の対向板部23には、図示しない回路基板等の被固定部に接続固定される３本の脚部25が前方に向かって突設されている。両対向板部23のうちの他方（後方側）の対向板部23には、前後に貫通した円形孔26が形成されている。なお、図示しない被固定部に対する固定強度の向上のため、１本の脚部25が他の２本の脚部25よりも上方にずれて配置されている。
【００２３】
ナットホルダー６は、図６（ａ）及び（ｂ）にも示すように、凹状のナット収納空間31及びこれに連通した連通孔32が形成された本体部33を有している。本体部33の前後の各面には、端子金具３の係合凸部24と摺動可能に係合する係合溝34が形成されている。また、本体部33の左右の各面には、端子台本体２の内面に圧着固定される弾性変形可能な固定板部35が設けられている。
【００２４】
カバー８は、ボルト４の頭部4aと対向する２つのボルト対向孔41が形成された上板部42と、この上板部42の前後の両端側に下方に向かって突設された突出板部43とを有している。各突出板部43の下端部には、端子台本体２のカバー受け部分15に支持される凹状部分44が形成されている。また、上板部42の左右の両端側には、端子台本体２のカバー取付孔16に挿入される弾性変形可能な挿入板部45が下方に向かって突設されている。
【００２５】
そして、挿入板部45がカバー取付孔16に挿入されてカバー８が端子台本体２に取り付けられると、このカバー８によってボルト４の頭部4aの周囲が覆われるが、カバー８の突出板部43の下端部と端子台本体２の本体部12の上面部との間には、電線を通すための開口部46が存在する。しかし、この開口部46は、指先等が侵入しない所定寸法に設定されている。つまり、カバー８を取り付けたカバー付きの端子台装置１は、ＩＥＣ６０５２９による保護等級ＩＰ２０に相当する保護性能を有する。
【００２６】
次に、端子台装置１の作用等を説明する。
【００２７】
端子台装置１を組み立てる場合には、まず、ナット５をナット収納空間31に収納することにより、このナット５をナットホルダー６に保持させる。
【００２８】
次いで、ナットホルダー６を端子金具３に取り付け、その後、端子金具３を取付孔11に嵌入して端子台本体２に取り付ける。
【００２９】
次いで、ばね座金９及び平座金10が装着されたボルト４の軸部4bを端子金具３のボルト挿通孔21からナット５に螺合し、その後、カバー８を端子台本体２に取り付ける。こうして、端子台装置１の組み立てが完了する。
【００３０】
また、端子台装置１に電線を接続する場合には、ボルト４を緩めて、端子金具３の挟持板部22と平座金10との間に電線の先端部を挿入した後、ボルト４をナット５に締め付けることで、ばね座金９及び平座金10を介して電線の先端部をボルト４の頭部4aと端子金具３の挟持板部22とで挟持させる。こうして、ボルト４及びナット５によって電線が端子金具３に接続固定される。
【００３１】
そして、このような端子台装置１によれば、厚さ１ｍｍ以下の条件でその材料の燃焼性がＪＩＳＣ６０６９５−１１−２０で規定する燃焼性分類５ＶＡ以上であるＰＥＴ樹脂材料からなる絶縁性部材（例えば端子台本体２及びナットホルダー６）を備えるため、難燃性が良好であり、より一層の難燃性の向上を図ることができる。
【００３２】
また、カバー８が端子台本体２に取り付けられることで、端子台装置１がＩＥＣ６０５２９による保護等級ＩＰ２０に相当する保護性能を有するため、安全性も良好である。
【００３３】
さらに、端子台装置１の電気定格が６００Ｖ、１７５Ａであるため、高電圧及び高電流に対応することができる。
【００３４】
なお、端子台装置１は、２本の電線が接続されるものには限定されず、例えば３本以上の電線を接続可能な構成等としてもよい。
【００３５】
また、絶縁性部材であるカバー８は、ＰＣ樹脂材料からなるものには限定されず、例えば端子台本体２やナットホルダー６と同じＰＥＴ樹脂材料で形成してもよい。
【００３６】
さらに、例えばナットホルダー６を備えず、ナットを端子金具に直接取り付ける構成等としてもよく、また、ナットの代わりにねじ孔部を端子金具に形成した構成等としてもよい。
【符号の説明】
【００３７】
１    端子台装置
２    端子台本体（絶縁性部材）
３    端子金具
４    ボルト
５    ナット
６    ナットホルダー（絶縁性部材）
８    カバー
【図１】
2019185892.tif 000003
【図２】
2019185892.tif 000004
【図３】
2019185892.tif 000005
【図４】
2019185892.tif 000006
【図５】
2019185892.tif 000007
【図６】
2019185892.tif 000008